(57)【要約】【課題】パンチ処理により記録用紙に完全に収まらないパンチ穴が形成され、当該記録用紙に見栄えの悪い欠損部分が生じてしまうことを効果的に防止する。【解決手段】一次元状に配列され互いに独立に制御可能な複数のパンチ部材により記録用紙の一辺に沿って複数のパンチ穴を形成可能なパンチ装置の動作を設定するための設定装置であって、パンチ装置により形成可能な複数のパンチ穴のうち、記録用紙に形成すべきパンチ穴を特定する（Ｓ１０６、Ｓ１０９）特定部と、特定部により特定されたパンチ穴のみが形成されるようにパンチ装置を制御するための設定情報を生成する（Ｓ１１１）設定部と、設定部により生成された設定情報をパンチ装置に送信する（Ｓ１１４）送信部と、を有することを特徴とする設定装置。【選択図】図９
2010018377.tif 000002
【特許請求の範囲】
【請求項１】
一次元状に配列され互いに独立に制御可能な複数のパンチ部材により記録用紙の一辺に沿って複数のパンチ穴を形成可能なパンチ装置の動作を設定するための設定装置であって、
前記パンチ装置により形成可能な複数のパンチ穴のうち、前記記録用紙に形成すべきパンチ穴を特定する特定部と、
前記特定部により特定されたパンチ穴のみが形成されるように前記パンチ装置を制御するための設定情報を生成する設定部と、
前記設定部により生成された前記設定情報を前記パンチ装置に送信する送信部と、を有することを特徴とする設定装置。
【請求項２】
前記記録用紙を表す第１画像に、前記パンチ装置により形成可能な複数のパンチ穴を表す第２画像を重ね合わせたプレビュー画像を表示する表示部と、
前記表示部により表示された前記プレビュー画像に含まれる前記第２画像により表される複数のパンチ穴の各々を形成すべきか否かの指示をユーザから取得する取得部と、をさらに有し、
前記特定部は、前記取得部により取得された前記指示に基づき、前記記録用紙に形成すべきパンチ穴を特定することを特徴とする請求項１に記載の設定装置。
【請求項３】
前記パンチ装置により形成可能な複数のパンチ穴の各々が、前記記録用紙に完全に収まるか否かを判定する判定部をさらに有し、
前記特定部は、前記判定部により前記記録用紙に完全に収まると判定されたパンチ穴を、前記記録用紙に形成すべきパンチ穴として特定することを特徴とする請求項１に記載の設定装置。
【請求項４】
前記判定部により前記記録用紙に完全に収まらないと判定されたパンチ穴が存在する場合、その旨をユーザに通知する通知部をさらに有することを特徴とする請求項３に記載の設定装置。
【請求項５】
前記パンチ部材の各々は、ソレノイド式のアクチュエータにより作動することを特徴とする請求項１〜４のいずれか１つに記載の設定装置。
【請求項６】
一次元状に配列され互いに独立に制御可能な複数のパンチ部材により記録用紙の一辺に沿って複数のパンチ穴を形成可能なパンチ装置の動作を設定するための設定プログラムであって、
前記パンチ装置により形成可能な複数のパンチ穴のうち、前記記録用紙に形成すべきパンチ穴を特定する手順（Ａ）と、
前記手順（Ａ）で特定されたパンチ穴のみが形成されるように前記パンチ装置を制御するための設定情報を生成する手順（Ｂ）と、
前記手順（Ｂ）で生成された前記設定情報を前記パンチ装置に送信する手順（Ｃ）と、をコンピュータに実行させることを特徴とする設定プログラム。
【請求項７】
前記記録用紙を表す第１画像に、前記パンチ装置により形成可能な複数のパンチ穴を表す第２画像を重ね合わせたプレビュー画像を表示する手順（ａ）と、
前記手順（ａ）で表示された前記プレビュー画像に含まれる前記第２画像により表される複数のパンチ穴の各々を形成すべきか否かの指示をユーザから取得する手順（ｂ）と、をさらに前記コンピュータに実行させ、
前記手順（Ａ）では、前記手順（ｂ）で取得された前記指示に基づき、前記記録用紙に形成すべきパンチ穴が特定されることを特徴とする請求項６に記載の設定プログラム。
【請求項８】
前記パンチ装置により形成可能な複数のパンチ穴の各々が、前記記録用紙に完全に納まるか否かを判定する手順（ｃ）をさらに前記コンピュータに実行させ、
前記手順（Ａ）では、前記手順（ｃ）で前記記録用紙に完全に収まると判定されたパンチ穴が、前記記録用紙に形成すべきパンチ穴として特定されることを特徴とする請求項６に記載の設定プログラム。
【請求項９】
前記手順（ｃ）で、前記記録用紙に完全に収まらないと判定されたパンチ穴が存在する場合、その旨をユーザに通知する手順（ｄ）をさらに前記コンピュータに実行させることを特徴とする請求項８に記載の設定プログラム。
【請求項１０】
請求項６〜９のいずれか１つに記載の設定プログラムを記録したコンピュータ読み取り可能な記録媒体。
【請求項１１】
一次元状に配列され互いに独立に制御可能な複数のパンチ部材により記録用紙の一辺に沿って複数のパンチ穴を形成可能なパンチ実行部と、
前記パンチ実行部により形成可能な複数のパンチ穴のうち特定のパンチ穴のみを形成すべきとの指示を外部から受信する受信部と、
受信された前記指示に基づき、前記特定のパンチ穴のみが形成されるように前記パンチ実行部を制御する制御部と、を有することを特徴とするパンチ装置。
【請求項１２】
前記パンチ部材の各々は、ソレノイド式のアクチュエータにより作動することを特徴とする請求項１１に記載のパンチ装置。
【発明の詳細な説明】
【技術分野】
【０００１】
本発明は、画像形成装置から出力された記録用紙に複数のパンチ穴を形成するためのパンチ装置の動作を設定するための設定装置、設定プログラム、及び画像形成装置から出力された記録用紙に複数のパンチ穴を形成するためのパンチ装置に関する。
【背景技術】
【０００２】
従来、複数ページからなる印刷物を製本するための方法として、印刷物の一辺に沿って当該一辺の略全域に亘り複数のパンチ穴を形成し、それらに樹脂や金属等の材質からなるリング又はコイル状のバインダを通すことにより複数ページを綴じる方法が採用されている。
【０００３】
そのため、近年、ＭＦＰ（Ｍｕｌｔｉｐｌｅ  Ｆｕｎｃｔｉｏｎ  Ｐｅｒｉｐｈｅｒａｌ  多機能周辺機器）やプリンタ等の画像形成装置の多くは、印刷された記録用紙を順次引き込み、その一辺に沿って複数のパンチ刃を押し当てることによりパンチ穴を形成するパンチ処理を実行可能なフィニシャ（後処理装置）を備えている。（例えば、以下の特許文献１、２参照）。
【０００４】
ここで、通常、画像形成装置が取り扱う記録用紙のサイズはＡ４、Ｂ５、Ｌｅｔｔｅｒのように多岐に渡る一方で、フィニシャに設けられたパンチ刃の配列は機器ごとに固定されているのが一般的である。そのため、記録用紙のサイズによってはその両端縁の近傍に配置されるパンチ穴が紙面に完全に収まらず、記録用紙に見栄えの悪い欠損部分を生じさせてしまうという問題点が指摘されている。
【特許文献１】特開２００１−１３０８２７号公報
【特許文献２】特開２００３−２３１０９２号公報
【発明の開示】
【発明が解決しようとする課題】
【０００５】
本発明は上記従来技術の有する問題点に鑑みてなされたものであり、本発明の目的は、パンチ処理により記録用紙に完全に収まらないパンチ穴が形成され、当該記録用紙に見栄えの悪い欠損部分が生じてしまうことを効果的に防止できるパンチ装置の設定装置、設定プログラム、及びこれらに従って作動するパンチ装置を提供することである。
【課題を解決するための手段】
【０００６】
本発明の上記目的は、下記の手段によって達成される。
【０００７】
（１）一次元状に配列され互いに独立に制御可能な複数のパンチ部材により記録用紙の一辺に沿って複数のパンチ穴を形成可能なパンチ装置の動作を設定するための設定装置であって、前記パンチ装置により形成可能な複数のパンチ穴のうち、前記記録用紙に形成すべきパンチ穴を特定する特定部と、前記特定部により特定されたパンチ穴のみが形成されるように前記パンチ装置を制御するための設定情報を生成する設定部と、前記設定部により生成された前記設定情報を前記パンチ装置に送信する送信部と、を有することを特徴とする設定装置。
【０００８】
（２）前記記録用紙を表す第１画像に、前記パンチ装置により形成可能な複数のパンチ穴を表す第２画像を重ね合わせたプレビュー画像を表示する表示部と、前記表示部により表示された前記プレビュー画像に含まれる前記第２画像により表される複数のパンチ穴の各々を形成すべきか否かの指示をユーザから取得する取得部と、をさらに有し、前記特定部は、前記取得部により取得された前記指示に基づき、前記記録用紙に形成すべきパンチ穴を特定することを特徴とする上記（１）に記載の設定装置。
【０００９】
（３）前記パンチ装置により形成可能な複数のパンチ穴の各々が、前記記録用紙に完全に収まるか否かを判定する判定部をさらに有し、前記特定部は、前記判定部により前記記録用紙に完全に収まると判定されたパンチ穴を、前記記録用紙に形成すべきパンチ穴として特定することを特徴とする上記（１）に記載の設定装置。
【００１０】
（４）前記判定部により前記記録用紙に完全に収まらないと判定されたパンチ穴が存在する場合、その旨をユーザに通知する通知部をさらに有することを特徴とする上記（３）に記載の設定装置。
【００１１】
（５）前記パンチ部材の各々は、ソレノイド式のアクチュエータにより作動することを特徴とする上記（１）〜（４）のいずれか１つに記載の設定装置。
【００１２】
（６）一次元状に配列され互いに独立に制御可能な複数のパンチ部材により記録用紙の一辺に沿って複数のパンチ穴を形成可能なパンチ装置の動作を設定するための設定プログラムであって、前記パンチ装置により形成可能な複数のパンチ穴のうち、前記記録用紙に形成すべきパンチ穴を特定する手順（Ａ）と、前記手順（Ａ）で特定されたパンチ穴のみが形成されるように前記パンチ装置を制御するための設定情報を生成する手順（Ｂ）と、前記手順（Ｂ）で生成された前記設定情報を前記パンチ装置に送信する手順（Ｃ）と、をコンピュータに実行させることを特徴とする設定プログラム。
【００１３】
（７）前記記録用紙を表す第１画像に、前記パンチ装置により形成可能な複数のパンチ穴を表す第２画像を重ね合わせたプレビュー画像を表示する手順（ａ）と、前記手順（ａ）で表示された前記プレビュー画像に含まれる前記第２画像により表される複数のパンチ穴の各々を形成すべきか否かの指示をユーザから取得する手順（ｂ）と、をさらに前記コンピュータに実行させ、前記手順（Ａ）では、前記手順（ｂ）で取得された前記指示に基づき、前記記録用紙に形成すべきパンチ穴が特定されることを特徴とする上記（６）に記載の設定プログラム。
【００１４】
（８）前記パンチ装置により形成可能な複数のパンチ穴の各々が、前記記録用紙に完全に納まるか否かを判定する手順（ｃ）をさらに前記コンピュータに実行させ、前記手順（Ａ）では、前記手順（ｃ）で前記記録用紙に完全に収まると判定されたパンチ穴が、前記記録用紙に形成すべきパンチ穴として特定されることを特徴とする上記（６）に記載の設定プログラム。
【００１５】
（９）前記手順（ｃ）で、前記記録用紙に完全に収まらないと判定されたパンチ穴が存在する場合、その旨をユーザに通知する手順（ｄ）をさらに前記コンピュータに実行させることを特徴とする上記（８）に記載の設定プログラム。
【００１６】
（１０）上記（６）〜（９）のいずれか１つに記載の設定プログラムを記録したコンピュータ読み取り可能な記録媒体。
【００１７】
（１１）一次元状に配列され互いに独立に制御可能な複数のパンチ部材により記録用紙の一辺に沿って複数のパンチ穴を形成可能なパンチ実行部と、前記パンチ実行部により形成可能な複数のパンチ穴のうち特定のパンチ穴のみを形成すべきとの指示を外部から受信する受信部と、受信された前記指示に基づき、前記特定のパンチ穴のみが形成されるように前記パンチ実行部を制御する制御部と、を有することを特徴とするパンチ装置。
【００１８】
（１２）前記パンチ部材の各々は、ソレノイド式のアクチュエータにより作動することを特徴とする上記（１１）に記載のパンチ装置。
【発明の効果】
【００１９】
本発明によれば、パンチ装置により形成可能な複数のパンチ穴のうち、実際に記録用紙に形成すべきものを個別に指定することが可能となる。その結果、パンチ処理により記録用紙に完全に収まらないパンチ穴が形成され、記録用紙に見栄えの悪い欠損部分が生じてしまうことを効果的に防止できるようになる。
【発明を実施するための最良の形態】
【００２０】
以下、本発明の実施の形態を、図面を参照して詳細に説明する。
【００２１】
−システム全体の構成（図１）
以下、本発明の実施の形態を、図面を参照して詳細に説明する。図１は、本発明の一実施形態に係る画像形成装置が適用された画像形成システムの全体構成を示すブロック図である。図１に示すように、本実施形態に係る画像形成システムは、パンチ装置の動作を設定するための設定装置としてのＰＣ１と、パンチ装置を備えた画像形成装置としてのＭＦＰ２とを備え、これらは通信ネットワーク３を介して相互に通信可能に接続されている。なお、通信ネットワーク３に接続される機器の種類および台数は、図１に示す例に限定されない。また、ＰＣ１は、ネットワーク３を介することなく、ＭＦＰ２と直接機器間で接続（ローカル接続）されていてもよい。
【００２２】
続いて、上記各機器の構成について説明するが、上記各機器は後述する構成要素以外の構成要素を含んでいてもよく、あるいは、後述する構成要素のうちの一部が含まれていなくてもよい。また、各機器で同様の機能を有する部分については、説明の重複を避けるため初回のみその説明を行い、２回目以降はその説明を省略する。
【００２３】
−ＰＣの構成（図２）
図２は、本実施形態に係るＰＣ１の構成の一例を示すブロック図である。図２に示すように、ＰＣ１は、制御部１１、記憶部１２、表示部１３、操作部１４、通信インタフェース１５を備えており、これらは信号をやり取りするためのバス１６を介して相互に接続されている。
【００２４】
制御部１１は、ＣＰＵを含み、プログラムに従って上記各部の制御や各種の演算等を行う。記憶部１２は、ＰＣ１の基本動作を制御する各種プログラムやパラメータを格納するＲＯＭ、作業領域として一時的にプログラムやデータ等を記憶するＲＡＭ、及びＯＳ（オペレーティングシステム、基本ソフトウェア）や後述するＰＣ１の所定の動作を制御するためのプログラムやパラメータ等を格納するハードディスクを備えている。
【００２５】
表示部１３は、液晶ディスプレイ等からなり、ユーザに各種情報を表示する。操作部１４は、キーボードやマウス等であり、ユーザから各種指示を取得する。通信インタフェース１５は、ＰＣ１をネットワーク３に接続しネットワーク３上の他の機器と通信するためのインタフェースである。本実施形態のＰＣ１は、特に、表示部１３は、ＭＦＰ２によるパンチ処理の設定を行うためのパンチ設定用ＵＩ画面をユーザに表示し、操作部１４は、パンチ設定用ＵＩ画面を操作するユーザの指示を取得する。この点についてはさらに後述する。
【００２６】
−ＭＦＰの構成（図３、図４）
図３は、本実施形態に係るＭＦＰ２の全体構成を示す概略図であり、図４は、ＭＦＰ２の構成を示すブロック図である。図３及び図４に示すように、ＭＦＰ２は、制御部２１、記憶部２２、操作部２３、画像読取部２４、印刷部２５、後処理部２６、給紙部２７、及び通信インタフェース２８を備えており、これらは信号をやり取りするためのバス２９を介して相互に接続されている。以下、これらの構成要素について順に説明する。
【００２７】
制御部２１は、ＣＰＵを含み、プログラムに従って上記各部の制御や各種の演算処理等を行う。記憶部２２は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００２８】
操作部２３は、各種情報を表示し、または各種設定入力を行うタッチパネル、コピー枚数等を設定するテンキー、動作の開始を指示するスタートキー、動作の停止を指示するストップキー、各種設定条件を初期化するリセットキー等の各種固定キー、表示ランプ等からなる。
【００２９】
画像読取部２４は、原稿台の所定の読取位置にセットされた原稿、又はＡＤＦ（Ａｕｔｏ  Ｄｏｃｕｍｅｎｔ  Ｆｅｅｄｅｒ；自動原稿搬送装置）により所定の読取位置に搬送された原稿に蛍光ランプ等の光源から光を当て、その反射光をＣＣＤイメージセンサやＣＭＯＳイメージセンサ等の受光素子で光電変換することで得られる電気信号から画像データ（ビットマップデータ）を生成するスキャン動作を実行する。
【００３０】
印刷部２５は、画像データを電子写真方式により帯電、露光、現像、転写、及び定着の各工程を経て、給紙部１６から供給された用紙に画像データを印刷して排出する。ただし、本発明における印刷部２５が採用する印刷方法はこれに限定されるものではなく、インパクト方式、熱転写方式、及びインクジェット方式等の公知の印刷方法であればいかなるものであってもよい。
【００３１】
後処理部２６は、印刷部２５により画像が印刷された記録用紙に対して、丁合い処理、ステープル綴じ処理、パンチ処理、紙折り処理等の後処理を実行する。特に、本実施形態の後処理部２６は、記録用紙に対してパンチ処理を実行するパンチ装置としてのパンチユニット２６１を備えている。ここで、パンチ処理とは、パンチ刃等を用いて記録用紙の一辺に沿って２６穴や３０穴等の複数のパンチ穴を形成するための処理である。本実施形態のパンチユニット２６１の具体的な構成については後述する。
【００３２】
給紙部２７は、複数種類の記録用紙（Ａ４、Ｂ５、Ａ３、Ｌｅｔｔｅｒ等）をサイズごとに格納する給紙トレイ、及び制御部２１からの指令に応じて各給紙トレイ内の記録用紙を印刷部２５に搬送する搬送機構等を備えている。
【００３３】
通信インタフェース２８は、ＭＦＰ１と外部機器との間で通信を行うためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２．１１、ＨｏｍｅＲＦ、ＩｒＤＡ等の無線通信インタフェース等の各種ローカル接続インタフェース、電話回線に接続するための電話回線インタフェース等が用いられる。
【００３４】
上記構成により、ＭＦＰ２は、通信インタフェースにより外部機器から受信した印刷ジョブ、又は画像読取部２４により読み取った原稿画像に基づき記録用紙に印刷を実行し、さらに、印刷が実行された記録用紙に対してパンチ処理等の後処理を施してから排出することが可能である。
【００３５】
−パンチユニットの構成（図５〜図８）
次に、本実施形態に係るパンチ装置としてのパンチユニット２６１について説明する。図５はパンチユニット２６１の上面図である。図５のように、パンチユニット２６１は、一次元状に均等間隔で配置された複数のソレノイド式パンチ機構２６１ａ（図６参照）を備えている。各パンチ機構２６１ａは同一の構成を有している。便宜上、パンチ機構２６１ａの配列方向をＸ方向とする（図中のＸ軸を参照）。
【００３６】
また、図５のように、パンチ処理を施される記録用紙Ｓは、不図示の搬送手段によりパンチユニット２６１の下方に搬送される。そして、記録用紙Ｓは、パンチ穴の形成部位がパンチ機構２６１ａの真下に位置するようにセットされる。このとき、記録用紙Ｓとパンチユニット２６１は、Ｘ方向にセンタリング（中央揃え）されるものとする。
【００３７】
続いて、図６は、図５中のＩ−Ｉ方向に沿った断面図であり、ソレノイド式パンチ機構２６１ａの各々の構成を示す。図中（Ａ）は、待機時（ソレノイド消磁時）、図中（Ｂ）はパンチ処理実行時（ソレノイド励起時）の状態をそれぞれ示す。
【００３８】
図中（Ａ）のように、パンチ機構２６１ａは、記録用紙Ｓに向かう方向に摺動可能な可動鉄芯２６１ａ１、可動鉄芯２６１ａ１に固定された円形のパンチ刃２６１ａ２、パンチ処理実行時に記録用紙Ｓの表面を押さえると同時に、記録用紙Ｓに向かって摺動するパンチ刃２６１ａ２をガイドする固定鉄芯２６１ａ３、固定鉄芯２６１ａ３を取り囲むように配置されたソレノイドコイル２６１ａ４、可動鉄芯２６１ａ１を固定鉄芯２６１ａ３から離反する方向に付勢する復帰バネ２６１ａ５を備えている。
【００３９】
図中（Ｂ）のように、リード線Ｌを介してソレノイドコイル２６１ａ４に電流を流すと、ソレノイドコイル２６１ａ４から発生する磁束により固定鉄芯２６１ａ４が磁性を帯びて可動鉄芯２６１ａ１を引き寄せる。このとき、可動鉄芯２６１ａ１に固定されたパンチ刃２６１ａ２が記録用紙Ｓに貫通してパンチ穴を形成する。なお、各パンチ機構２６１ａは互いに独立に制御可能である。そのため、本実施形態のパンチユニット２６１は、一或いは複数の特定のパンチ機構２６１ａのみを選択的に作動させることが可能である。
【００４０】
図７は、図５のようなパンチユニット２６１により形成可能な複数のパンチ穴の一例を示す図である。図７のように、各パンチ穴の直径は１０ｍｍであり、隣接するパンチ穴どうしの間隔は２０ｍｍである。
【００４１】
上記のようなパンチユニット２６１により形成可能なパンチ穴に関する情報は、パンチユニット情報Ｉとして記録部２２のハードディスク等に保存されている。図８は、図７に例示されたパンチ穴に対応するパンチユニット情報Ｉの一例を示す図である。図８のように、パンチユニット情報Ｉには、各パンチ穴の直径（１０ｍｍ）や隣接するパンチ穴どうしの間隔（２０ｍｍ）に加えて、各パンチ穴の位置情報（各パンチ穴の中心のＸ座標）等の情報が格納されている。なお、図７及び図８においては、パンチユニット２６１を構成する複数のパンチ機構２６１ａのうち中央に位置するパンチ機構２６１ａにより形成されるパンチ穴を０番目のパンチ穴とし、そのパンチ穴の中心を原点（Ｘ＝０）としている。そして、０番目のパンチ穴の両側に配置されているパンチ穴を内側から順に１、２、３、４・・・番目のパンチ穴としている。図８は、このようなパンチユニット情報Ｉは、後述のパンチ設定処理において、記録用紙Ｓ上の各パンチ穴の位置を判定するために用いられる。
【００４２】
−ＰＣの動作（図９）
次に、本実施形態に係るＰＣ１の動作の概要について説明する。図９は、本実施形態に係るＰＣ１による処理の手順を示すフローチャートの一例である。図９のフローチャートにより示されるアルゴリズムは、記憶部１２に制御プログラムとして記憶されており、動作開始の際に制御部１１により読み出されて実行される。
【００４３】
先ず、ＰＣ１は、ユーザから印刷設定開始の指示を受け付けるまで待機する（Ｓ１０１のＮＯ）。印刷設定開始の指示は、ユーザがＰＣ１に実装されたアプリケーション上で所定の操作を行ったときに受け付けられる。
【００４４】
続いて、ＰＣ１は、印刷設定開始の指示を受け付けたら（Ｓ１０１のＹＥＳ）、表示部１３に印刷設定用ＵＩ（ユーザ・インタフェース）画面ｕ１を表示する。以下、本実施形態の印刷設定用ＵＩ画面ｕ１について説明する。
【００４５】
図１０は、本実施形態の印刷設定用ＵＩ画面ｕ１の一例を示す図である。図１０のように、印刷設定用ＵＩ画面ｕ１は、各種印刷設定に関する指示をユーザから取得する印刷設定エリアＡ１と、ＭＦＰ２によるパンチ処理の仕上がり状態を表すプレビュー画像をユーザに対して表示するプレビュー表示エリアＡ２を有している。
【００４６】
本実施形態において、ユーザは、印刷設定エリアＡ１に配置された「用紙サイズ」、「給紙トレイ」、「用紙種類」、「丁合い」のプルダウンメニューＭ１〜Ｍ４を操作することで、印刷用の記録用紙のサイズ（「Ａ４」、「Ｂ４」、「Ａ３」、「Ｌｅｔｔｅｒ」等）、印刷用の記録用紙の供給するための給紙トレイ（「自動」、「トレイ１」、「トレイ２」、「手差し」等）、印刷用の記録用紙の種類（「普通紙」、「厚紙」、「ＯＨＰ」、「封筒」等）、及び印刷済み記録用紙の丁合い方法（「ソート」、「仕分け」等）をそれぞれ指定することができる。
【００４７】
さらに、ユーザは、印刷設定エリアＡ１に配置された「両面」、「ステープル」、「折り」、「パンチ」、「パンチ種類」のプルダウンメニューＭ５〜Ｍ９を操作することで、片面／両面印刷の設定（「片面」、［両面］等）、ステープル綴じ処理の設定（「１ヶ所」、「２ヶ所」、「オフ」等）、紙折り処理の設定（「中折り」、「Ｚ折り」、「オフ」等）、パンチ処理の設定（「左」、「右」、「オフ」等）、パンチ処理により形成されるパンチ穴の個数の設定（「多穴」、「２穴」、「３穴」、「４穴」等）をそれぞれ行うことができる。そして、パンチ処理を実行すべきとの設定がなされている場合（すなわち、上記例において「パンチ」のプルダウンメニューＭ８中の「右」、「左」等が選択されている場合）、プレビュー表示エリアＡ２にはＭＦＰ２によるパンチ処理の仕上がり状態を示すプレビュー画像が表示される。この点についてはさらに後述する。
【００４８】
再び図９を参照して、ＰＣ１は、ＵＩ画面ｕ１上で指定された記録用紙のサイズ（つまり、「用紙サイズ」のプルダウンメニューＭ１の選択結果）を判別し、その記録用紙の輪郭を表すプレビュー画像（以下、「用紙画像」ともいう）をプレビュー表示エリアＡ２に表示する（Ｓ１０３）。
【００４９】
続いて、ＰＣ１は、ＵＩ画面ｕ１上でパンチ処理を実行すべきとの設定がなされているか否か（つまり、「パンチ」のプルダウンメニューＭ８中の「右」、「左」等が選択されているか否か）を判定し（Ｓ１０４）、その判定結果に応じて処理を分岐する。
【００５０】
ここで、パンチ処理を実行すべきとの設定がなされている場合（Ｓ１０４のＹＥＳ）、ＰＣ１は、パンチ処理後の仕上がり状態を示すプレビュー画像をプレビュー表示エリアＡ２にさらに表示するためにＳ１０５に進む。なお、便宜上、以下の説明では、印刷設定エリアＡ１において、「パンチ」のプルダウンメニューＭ８中の「左」が選択され、「パンチ種類」のプルダウメニューＭ９中の「多穴」が選択されているものとする。
【００５１】
他方、パンチ処理を実行すべきとの設定がなされていない場合（Ｓ１０４のＮＯ）、ＰＣ１は、印刷を実行すべきとの指示を受け付けない限り（Ｓ１１３のＮＯ）、Ｓ１０４に戻って再度パンチ処理の設定の有無を判定する。そして、印刷を実行すべきとの指示を受け付けたら（Ｓ１１３のＹＥＳ）、後述のＳ１１４に進み、ＭＦＰ２に印刷ジョブを送信する。なお、印刷を実行すべきとの指示は、ユーザがＵＩ画面ｕ１の「印刷実行」ボタンＢを押下したときに受け付けられる。
【００５２】
Ｓ１０５に進んだＰＣ１は、前述のパンチユニット情報Ｉを参照して、パンチユニット２６１により形成可能な各パンチ穴の記録用紙Ｓに対する位置を判定する。より具体的に、ＰＣ１は、各パンチ穴が記録用紙Ｓの紙面に完全に収まるか、記録用紙Ｓの端縁に重なるか、又は記録用紙Ｓの外側に配置されるかを判定する。ここで、パンチユニット情報Ｉは、予めＰＣ１の記録部１２に格納されていてもよいし、印刷設定処理の際にネットワーク３を介してＭＦＰ２側から取得されてもよい。Ｓ１０５での判定は、パンチユニット情報Ｉに含まれる各パンチ穴の位置情報に基づいて行われる。以下、図７のパンチユニット情報に基づく判定方法について説明する。
【００５３】
例えば、ＵＩ画面ｕ１上で記録用紙としてＡ４用紙（全長２９７ｍｍ）が指定された場合、パンチユニット２６１にセットされた記録用紙ＳのＸ方向の両端縁のＸ座標は＋／−１４８．５ｍｍとなる。そして、図７のパンチユニット情報Ｉに含まれる各パンチ穴の位置情報を参照すると、０〜７番目のパンチ穴は記録用紙Ｓの紙面に完全に収まるものの、８番目のパンチ穴は記録用紙Ｓの紙面に外側に配置されることになる。
【００５４】
また、記録用紙としてＬｅｔｔｅｒ（ＬＥＦ）用紙（全長２７９．４ｍｍ）が指定された場合、パンチユニット２６１にセットされた記録用紙ＳのＸ方向の両端縁のＸ座標は＋／−１３９．７ｍｍになる。この場合、０〜６番目のパンチ穴は記録用紙Ｓの紙面に完全に収まるものの、７番目のパンチ穴は記録用紙Ｓの端縁に重なり、８番目のパンチ穴は記録用紙Ｓの紙面の外側に配置されることになる。
【００５５】
なお、前述のように、記録用紙Ｓとパンチユニット２６１はＸ方向においてセンタリング（中央揃え）されているが、本実施形態は必ずしもこれに限定されず、記録用紙Ｓとパンチユニット２６１はＸ方向において上揃え又は下揃えにされていてもよい。この場合、記録用紙Ｓ及びパンチユニット２６１の上端又は下端を原点（Ｘ＝０）として、上記と同様の判定を行えばよい。
【００５６】
続いて、ＰＣ１は、Ｓ１０５での判定結果をパンチ穴テーブルＴに記録する（Ｓ１０６）。ここで、パンチ穴テーブルＴとは、ＭＦＰ２により形成可能なパンチ穴のうち、実際に記録用紙Ｓに形成すべきパンチ穴（以下、「有効パンチ穴」ともいう）を特定するためのテーブルである。なお、上記の「有効パンチ穴」との対比のため、実際に記録用紙Ｓに形成すべきでないパンチ穴を「無効パンチ穴」とする。
【００５７】
図１１は、Ｓ１０５での判定結果の一例を示す図であり、図１２は、図１１の判定結果が記録されたパンチ穴テーブルＴの一例を示す図である。図１１において、０〜３番目のパンチ穴は記録用紙Ｓの紙面に完全に収まると判定されており、４番目のパンチ穴は記録用紙Ｓの端縁に重なると判定されており、５〜８番目のパンチ穴は記録用紙Ｓの紙面の外側に配置されると判定されている。
【００５８】
そして、図１２のように、パンチ穴テーブルＴは、パンチユニット２６１により形成可能な各パンチ穴（０〜８番目のパンチ穴）に対応するカラムからなり、各カラムにはＳ１０５での判定結果に応じて「有効パンチ穴」又は「無効パンチ穴」のフラグが立てられる（Ｓ１０６）。より具体的に、Ｓ１０５において記録用紙Ｓの紙面に完全に収まると判定されたパンチ穴（０〜３番目のパンチ穴）は有効パンチ穴とみなされ、それに対応するカラムには有効パンチ穴のフラグが立てられる。そして、記録用紙Ｓの端縁に重なると判定されたパンチ穴（４番目のパンチ穴）及び記録用紙Ｓの紙面の外側に配置されると判定されたパンチ穴（５〜８番目のパンチ穴）は無効パンチ穴とみなされ、それらに対応するカラムには無効パンチ穴のフラグが立てられる。
【００５９】
再び図９を参照して、ＰＣ１は、Ｓ１０５での判定結果が記録されたパンチ穴テーブルＴを参照して、有効パンチ穴と無効パンチ穴とを互いに区別して表す画像（以下、「パンチ穴画像」ともいう）を生成し、これをプレビュー画像エリアＡ２に表示された用紙画像に重ね合わせて表示する。このようなパンチ穴画像において、例えば、有効パンチ穴は黒丸で表され、無効パンチ穴は白丸で表される。
【００６０】
図１３は、Ｓ１０６終了時点で表示部１３に表示されているパンチ設定用ＵＩ画面ｕ１の一例を示す図である。図１３のように、プレビュー表示エリアＡ２には、用紙画像にパンチ穴画像を重ね合わせたプレビュー画像が表示されており、ユーザはＭＦＰ２のパンチ処理による仕上がり状態を確認することができる。
【００６１】
さらに、図１３のようなプレビュー画像を表示中のＵＩ画面ｕ１は、プレビュー表示エリアＡ２においてユーザの指示を受け付けることで、有効／無効パンチ穴を反転させることができる。より具体的に、ユーザがプレビュー画像中の有効パンチ穴にカーソルを合わせた状態でマウスをクリックすると、カーソルが合わせられたパンチ穴のフラグが有効パンチ穴フラグから無効パンチ穴フラグにトグルされ、それと同時にプレビュー画像中の有効パンチ穴が無効パンチ穴に切り替えられる。つまり、図１３の例においては、黒丸が白丸に切り替えられる。プレビュー画像中の無効パンチ穴がクリックされたときも同様である。
【００６２】
再び図９を参照すると、ＰＣ１は、カーソルがプレビュー画像中のパンチ穴（つまり、黒丸又は白丸の部分）に合わせられた状態でマウスがクリックされるか否かに応じて処理を分岐する（Ｓ１０８）。ここで、上記の状態でマウスがクリックされた場合（Ｓ１０８のＹＥＳ）、カーソルが合わせられたパンチ穴に対応するフラグをトグルさせることによりパンチ穴テーブルＴを更新する（Ｓ１０９）。そして、更新後のパンチ穴テーブルＴに基づき、プレビュー画像中のパンチ穴画像を変更してから後述のＳ１１１に進む。他方、指示を取得しなかった場合（Ｓ１０８のＮＯ）、そのままＳ１１１に進む。
【００６３】
Ｓ１１１において、ＰＣ１は、その時点でのパンチ穴テーブルＴに基づくパンチ処理の設定情報を印刷ジョブに付加する。より具体的に、ＰＣ１は、パンチ穴テーブルＴにおいて有効パンチ穴フラグが立てられたパンチ穴に対応するパンチ機構２６１ａ１のみを作動させるための設定情報を印刷ジョブに付加する。
【００６４】
続いて、ＰＣ１は、ユーザから印刷実行指示がなされるか否かに応じて処理を分岐する（Ｓ１１２）。ここで、ユーザから印刷実行指示がなされた場合（Ｓ１１２のＹＥＳ）、ＭＦＰ２に印刷ジョブを送信して処理を終了し、ユーザから印刷実行指示がなされない場合（Ｓ１１２のＮＯ）、Ｓ１０９に戻り再度ユーザの指示を取得する。
【００６５】
以上のように、本実施形態のＰＣ１は、ユーザから印刷設定開始の指示を受け付けたら（Ｓ１０１のＹＥＳ）、パンチ処理の仕上がり状態を示すプレビュー画像において有効パンチ穴と無効パンチ穴とを互いに区別して表示（Ｓ１０７）する。このとき、ＰＣ１は、表示されたプレビュー画像中のパンチ穴の有効／無効を反転させる指示をユーザから取得することができる（Ｓ１０８）。そして、ＰＣ１は、ユーザから印刷実行の指示を受け付けたら（Ｓ１１２のＹＥＳ）、表示中の有効パンチ穴のみを形成するための設定情報が付加された印刷ジョブをＭＦＰ２に送信する（Ｓ１１４）。
【００６６】
−ＭＦＰの動作（図１４）
次に、本実施形態に係るＭＦＰ１の動作の概要について説明する。図１４は、本実施形態のＭＦＰ２による処理の手順を示すフローチャートの一例である。図１４のフローチャートにより示されるアルゴリズムは、記憶部２２に制御プログラムとして記憶されており、動作開始の際に制御部１１により読み出されて実行される。なお、本例では、ＭＦＰ２がネットワークインタフェース２８を介してＰＣ１から受信した印刷ジョブに基づいて印刷処理を行う場面を想定する。
【００６７】
先ず、ＭＦＰ２は、ネットワークインタフェース２８を介してＰＣ１から印刷ジョブを受信するまで待機する（Ｓ２０１のＮＯ）。
【００６８】
ここで、本例においてＭＦＰ２がＰＣ１から受信する印刷ジョブについて説明する。本実施形態に係る印刷ジョブは、印刷設定等に関する各種情報を格納する印刷ジョブ情報、及びＣＹＭＫの４色からなる画像データ（ビットマップデータ）を含んでなる。ＭＦＰ２により受信された印刷ジョブは、記憶部２２に一時的に保存され、印刷部２５で処理可能な印刷画像データへと変換される。印刷ジョブを印字可能な印刷画像データへ変換するためのプログラムは記録部２２のハードディスク等に保存されている。印刷画像データへの変換を、プログラムを用いてソフトウェア処理により実行する形態に代え、専用ハード回路としての画像処理部を用いて印刷画像データへの変換を行なってもよい。
【００６９】
図１５は、本実施形態に係る印刷ジョブに含まれる印刷ジョブ情報Ｊの構成を概略的に示す図である。図１５のように、印刷ジョブ情報Ｊは、ページ数や印刷部数等の当該印刷ジョブ全体に関する情報を格納するジョブ情報Ｊ１、及び用紙サイズやカラーモード等の当該印刷ジョブを構成するページ毎の設定情報を格納するページ情報Ｊ２を含む。特に、本実施形態において、ページ情報Ｊ２は、パンチユニット２６１により形成可能なパンチ穴の各々が、有効パンチ穴と無効パンチ穴のどちらであるのかを示す情報を含む（図１５中の「パンチ」のカラム参照）。
【００７０】
再び図１４を参照して、ＭＦＰ２は、印刷ジョブを受信したら（Ｓ２０１のＹＥＳ）、当該印刷ジョブに含まれるページ情報Ｊ２を解析し（Ｓ２０２）、パンチ処理を実行すべきとの指定なされているか否かを判定する（Ｓ２０３）。より具体的に、ＭＦＰ２は、ページ情報Ｊ２に「パンチ」のカラムが含まれているか否かを判定する。なお、一般にパンチ処理は一の印刷ジョブに含まれる全てのページに対して実行されるため、「パンチ」のカラムは、ページごとに存在するページ情報Ｊ２ではなく、ジョブごとに存在するジョブ情報Ｊ１側に設けられてもよい。
【００７１】
続いて、ＭＦＰ１は、パンチ処理を実行すべきとの指定がなされていない場合（Ｓ２０３のＮＯ）、記録用紙Ｓに対して印刷部２５による印刷処理を実行し（Ｓ２０５ａ）、パンチユニット２６１によるパンチ処理を実行することなく排紙トレイ等に記録用紙を排出し（Ｓ２０７）処理を終了する。
【００７２】
他方、ＭＦＰ２は、パンチ処理を実行すべきとの指定がなされている場合（Ｓ２０３のＹＥＳ）、ページ情報Ｊ２を参照して有効／無効パンチ穴を識別してから（Ｓ２０４）、記録用紙Ｓに対して印刷処理を実行する（Ｓ２０５）。そして、ＭＦＰ２は、印刷処理が実行された記録用紙Ｓをパンチユニット２６１にセットし、Ｓ２０４で識別した有効パンチ穴に対応するパンチ機構２６１ａのみを作動させてパンチ処理を実行する（Ｓ２０６）。
【００７３】
最後に、ＭＦＰ２は、記録用紙Ｓを排紙トレイ等に排出してから処理を終了する。なお、上述のパンチ処理（Ｓ２０６）は、印刷ジョブを構成するページごとに実行されてもよいし、印刷ジョブごとに実行されてもよい。
【００７４】
以上のように、本実施形態によれば、ＭＦＰ２により形成可能な複数のパンチ穴のうち、実際に記録用紙Ｓに形成すべきものを印刷設定用ＵＩ画面ｕ１上で個別に指定することが可能となる。その結果、パンチ処理により記録用紙Ｓに完全に収まらないパンチ穴が形成され、記録用紙Ｓに見栄えの悪い欠損部分が生じてしまうことを効果的に防止できるようになる。
【００７５】
本発明は、上記実施形態のみに限定されるものではなく、特許請求の範囲内において、種々改変することができる。例えば、上記実施形態では、Ｓ１０５において記録用紙Ｓの端縁に重なると判定されたパンチ穴を無効パンチ穴とみなして表示する処理を行ったが、本発明は必ずしもこれに限定されない。つまり、当該パンチ穴を有効パンチ穴とみなして表示するとともに、ユーザに対して記録用紙Ｓの端縁に重なるパンチ穴が存在する旨を通知するためのメッセージを表示する処理を行うことも可能である。
【００７６】
また、上記実施形態では、本発明に係るパンチ装置（ＭＦＰ２のパンチユニット２６１）の動作を設定するための設定装置としてＰＣ１を採用した構成について説明したが、当該設定装置がＭＦＰ２側に内蔵された構成もまた実現可能である。この場合、パンチ装置の動作を設定するためのＵＩ画面は、ＭＦＰ２の操作部２３に表示されることになる。
【００７７】
本発明による画像形成システムにおける各手段及び方法は、専用のハードウェア回路によっても、ＣＰＵに実行される専用のプログラムによっても実現可能である。後者により本発明を実現する場合、上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置等の一機能としてその装置のソフトウェアに組み込んでもよい。
【図面の簡単な説明】
【００７８】
【図１】本発明の一実施形態に係る画像形成システムの構成を示すブロック図である。
【図２】本発明の一実施形態に係るＰＣの構成の一例を示すブロック図である。
【図３】本発明の一実施形態に係るＭＦＰの一例を示す外略図である。
【図４】本発明の一実施形態に係るＭＦＰの構成の一例を示すブロック図である。
【図５】本発明の一実施形態に係るパンチユニットの一例を示す上面図である。
【図６】図５のＩ−Ｉに沿った断面図である。
【図７】本発明の一実施形態に係るパンチユニットにより形成可能なパンチ穴の一例を示す図である。
【図８】本発明の一実施形態に係るパンチユニット情報の一例を示す図である。
【図９】本発明の一実施形態に係るＰＣの処理の手順の一例を示すフローチャートである。
【図１０】本発明の一実施形態に係る印刷設定用ＵＩ画面の一例を示す図である。
【図１１】図９のフローチャートにおけるＳ１０５の判定結果の一例を示す図である。
【図１２】本発明の一実施形態に係るパンチ穴テーブルの一例を示す図である。
【図１３】本発明の一実施形態に係る印刷設定用ＵＩ画面の一例を示す図である。
【図１４】本発明の一実施形態に係るＭＦＰの処理の手順の一例を示すフローチャートである。
【図１５】本発明の一実施形態に係る印刷ジョブ情報の一例を示す図である。
【符号の説明】
【００７９】
１          ＰＣ、
１１        制御部、
１２        記憶部、
１３        表示部、
１４        操作部、
１５        通信インタフェース、
１６        バス、
２          ＭＦＰ、
２１        制御部、
２２        記憶部、
２３        操作部、
２４        画像読取部、
２５        印刷部、
２６        後処理部、
２６１      パンチユニット、
２６１ａ    パンチ機構、
２６１ａ１  可動鉄芯、
２６１ａ２  パンチ刃、
２６１ａ３  固定鉄芯、
２６１ａ４  ソレノイドコイル、
２６１ａ５  復帰バネ、
Ａ１        印刷設定エリア、
Ａ２        プレビュー表示エリア、
Ｂ          印刷実行ボタン、
Ｉ          パンチユニット情報、
Ｊ          印刷ジョブ情報、
Ｊ１        ジョブ情報、
Ｊ２        ページ情報、
Ｍ１〜Ｍ９  プルダウンメニュー、
Ｓ          記録用紙、
Ｔ          パンチ穴情報、
ｕ１        印刷設定用ＵＩ画面。
【図１】
2010018377.tif 000003
【図２】
2010018377.tif 000004
【図３】
2010018377.tif 000005
【図４】
2010018377.tif 000006
【図５】
2010018377.tif 000007
【図６】
2010018377.tif 000008
【図７】
2010018377.tif 000009
【図８】
2010018377.tif 000010
【図９】
2010018377.tif 000011
【図１０】
2010018377.tif 000012
【図１１】
2010018377.tif 000013
【図１２】
2010018377.tif 000014
【図１３】
2010018377.tif 000015
【図１４】
2010018377.tif 000016
【図１５】
2010018377.tif 000017